(57)【要約】【課題】部材に開口された装着孔に装着された被装着体及び前記装着孔の内面間の隙間、並びに装着孔の縁部近傍に生じたバリ等の凹凸により被装着体と部材との間に生じる隙間を被覆することができるカバー及び該カバーを備える照明装置を提供する。【解決手段】部材に開口された装着孔に装着された被装着体及び前記装着孔の内面間の隙間を被覆すべき化粧枠１において、装着孔の縁部に離隔して対向すべき鍔部１２と、鍔部１２の外周縁に略全周に亘って設けられた突設部１５とを備えているから、鍔部１２により、被装着体及び前記装着孔の内面間の隙間、並びに装着孔の縁部近傍に生じたバリ等の凹凸により被装着体と部材との間に生じる隙間を被覆することができる。また化粧枠１の突設部１５が部材との間に隙間を生じることなく略全周に亘って部材に当接してあるから、化粧枠１の外周縁に沿って濃淡の異なる影が生じることなく、美観に資する。【選択図】図４
2013214530.tif 000002
【特許請求の範囲】
【請求項１】
部材の装着孔に板ばねを介して装着される被装着体に取り付けられ、前記被装着体と前記装着孔との間の隙間を覆うカバーであって、
前記装着孔に装着される円筒部と、
前記円筒部の一端から該円筒部の径方向に延設された鍔部と、
該鍔部に当接し、前記円筒部の外周面の一側端から他側端に向かって配置した第１補強部と、
前記鍔部の周縁に、前記被装着体と前記部材との間に生じる隙間を被覆する突設部と
を備えることを特徴とするカバー。
【請求項２】
前記第１補強部を前記円筒部の外周面に離隔して複数備えていることを特徴とする請求項１に記載のカバー。
【請求項３】
前記突設部は、
前記板ばねに対応する位置に切欠き部を有することを特徴とする請求項１又は請求項２に記載のカバー。
【請求項４】
前記切欠き部は、
開口側に向けて広がる傾斜面を有することを特徴とする請求項３に記載のカバー。
【請求項５】
前記切欠き部に対応する部分に、第２補強部を有していることを特徴とする請求項３または４に記載のカバー。
【請求項６】
前記切欠き部の近傍に、該切欠き部に挿入される工具を所定の位置で止める突起を備えることを特徴とする請求項３から請求項５の何れか一つに記載のカバー。
【請求項７】
請求項１から請求項６の何れか一つに記載のカバーを備えたことを特徴とする照明装置。
【発明の詳細な説明】
【技術分野】
【０００１】
本発明は、天井等の部材に開口された装着孔に装着された被装着体と前記装着孔の内面との間の隙間を被覆すべきカバー及び該カバーを備える照明装置に関する。
【背景技術】
【０００２】
天井等の部材に開口された装着孔に装着される被装着体である照明装置等の装置は、装着孔に挿入され、一般に、装着孔の内面と装置本体とを適長離隔した状態にて板ばね等の装着体により部材に固定してある。このような装置は、装着孔の内面及び装置本体間に生じる隙間を被覆すべく、カバーを備えている（例えば、特許文献１参照）。
【０００３】
特許文献１に開示された照明装置は、天井に設けられた装着孔に装着される照明装置本体と、該照明装置本体の側面に設けられた装着体である取付金具と、照明装置本体の下端に設けられたカバーとを備え、照明装置本体を装着孔に挿入し、カバーの上面と取付金具とにより天井の上下面を挟持することにより照明装置本体を固定するように構成してある。この照明装置は、照明装置本体の下端に設けられたカバーの上面を天井の下面に当接させることにより、装着孔の内面及び装置本体間に生じる隙間を被覆するようにしてある。
【先行技術文献】
【特許文献】
【０００４】
【特許文献１】実開平５−８７７２３号公報
【発明の概要】
【発明が解決しようとする課題】
【０００５】
ところで、天井への装着孔の施工は、刃幅の狭い鋸、所謂引き回し鋸や、所定の径のホールカッター等を用いて行われており、鋸による切断及び切り取られた天井材の取外しに伴い天井の下面側にはみ出るバリが生じる。また、照明装置を交換する際に、古い照明装置の取外しに伴い取付金具により装着孔の縁部の一部が削られ、天井の下面側にはみ出る虞がある。
【０００６】
このように装着孔近傍の天井の下面にバリ等により凹凸が生じた場合、特許文献１に記載の照明装置においては、カバーの上面を天井の下面に全面に亘って当接させることができなくなり、凹凸に応じてカバーの上面と天井の下面との間に隙間が生じ、この結果、設置状態における品位が損なわれるとともに、カバーの外周縁に沿って濃淡の異なる影が生じて美観を損なうという問題があった。
【０００７】
本発明は斯かる事情に鑑みてなされたものであり、天井等の部材に開口された装着孔に装着された被装着体及び前記装着孔の内面間の隙間、並びに装着孔の縁部近傍に生じたバリ等の凹凸により被装着体と部材との間に生じる隙間を被覆することができるカバー及び該カバーを備える照明装置を提供することを目的とする。
【課題を解決するための手段】
【０００８】
本発明に係るカバーは、部材の装着孔に板ばねを介して装着される被装着体に取り付けられ、前記被装着体と前記装着孔との間の隙間を覆うカバーであって、前記装着孔に装着される円筒部と、前記円筒部の一端から該円筒部の径方向に延設された鍔部と、該鍔部に当接し、前記円筒部の外周面の一側端から他側端に向かって配置した第１補強部と、前記鍔部の周縁に、前記被装着体と前記部材との間に生じる隙間を被覆する突設部とを備えることを特徴とする。
【０００９】
本発明に係るカバーは、前記第１補強部を前記円筒部の外周面に離隔して複数備えていることを特徴とする。
【００１０】
本発明に係るカバーは、前記突設部は、前記板ばねに対応する位置に切欠き部を有することを特徴とする。
【００１１】
本発明に係るカバーは、前記切欠き部は、開口側に向けて広がる傾斜面を有することを特徴とする。
【００１２】
本発明に係るカバーは、前記切欠き部に対応する部分に、第２補強部を有していることを特徴とする。
【００１３】
本発明に係るカバーは、前記切欠き部の近傍に、該切欠き部に挿入される工具を所定の位置で止める突起を備えることを特徴とする。
【００１４】
本発明に係る照明装置は、前述の発明に記載のカバーを備えたことを特徴とする。
【発明の効果】
【００１５】
本発明によれば、天井等の部材との間に隙間を生じることなく、装着孔の内面及び前記装置本体間の隙間、並びに装着孔の縁部近傍に生じたバリ等の凹凸による被装着体と部材との間に生じる隙間を被覆することができる。
【発明を実施するための形態】
【００１６】
以下、本発明をその実施の形態を示す図面に基づいて詳述する。以下の説明において、本発明に係るカバーとして、天井等の部材の装着孔に装着される照明装置の化粧枠を例示して説明する。なお、照明装置としては、ダウンライトを例示する。
（実施の形態１）
図１は、本発明の実施の形態１に係る化粧枠１の平面図である。図２は、図１のＩＩ−ＩＩ線による断面図であり、図３は、図１のＩＩＩ−ＩＩＩ矢視から見た側面図である。
【００１７】
化粧枠１は、天井等の部材に開口された装着孔に装着された被装着体及び装着孔の内面間の隙間を被覆すべく用いられる。詳細については後述する。化粧枠１は、円筒部１１と、円筒部１１の一端から直交する方向に径方向両側に延設された鍔部１２とを備えている。なお、本実施の形態に係る化粧枠１は、射出成形により一体成形された樹脂製であり、耐衝撃性等の機械的強度が大であり、難燃性材料であるポリカーボネート樹脂製が望ましい。
【００１８】
円筒部１１は、周方向の３カ所に軸長方向の全長に亘って径方向内側に凹ませてなる固定部１３，１３…を有しており、固定部１３，１３…の軸長方向に鍔部１２と逆側に延設された延設部１３ａ，１３ａ…には、貫通孔１３ｂ，１３ｂ…が夫々設けてある。
【００１９】
円筒部１１の一端に設けられた鍔部１２は、中央に開口を有する円板状であり、円筒部１１側の一面１２ａが略平面に、他面１２ｂが径方向の内側から外側に向けて緩やかに傾斜する傾斜面になるように形成してある。円筒部１１及び鍔部１２間には、直角三角形状の複数（図において６つ）の補強板１４，１４…が円筒部１１及び鍔部１２夫々に直角をなし、周方向に等配をなして設けてある。該補強板１４，１４…により、取外し時に鍔部１２に加わる力により鍔部１２が変形することを防止することができる。なお、化粧枠１は、被装着体が装着される装着孔の縁部に鍔部１２の一面１２ａが離隔して対向するように、被装着体又は部材に取付けられる。この鍔部１２の形状及び寸法は、天井等の部材に開口された装着孔、該装着孔に装着された被装着体及び装着孔の内面間の隙間等に応じて適切に設定してある。
【００２０】
また鍔部１２の他面１２ｂには、円筒部１１と略同一直径の環状の溝１２ｃが同心をなして設けてある。これは、化粧枠１を射出成形により製造する際に、溶融樹脂が固まる速度が肉厚に応じて異なることに起因して生じる凹みであるヒケが万一生じた場合に、該ヒケを目立たなくするためである。従って、溝１２ｃは、円筒部１１の形状に対応した形状であればよく、本実施の形態のように環状に限定されない。
【００２１】
鍔部１２の一面１２ａの側の外周縁には、該一面１２ａに直交し、円筒部１１に平行をなして全周に亘って突設されてなる扁平な円筒状の被覆部である突設部１５が設けてある。突設部１５の径方向の厚みは、後述の如く、天井等の部材の装着孔に被装着体が装着されたときに、部材から受ける反作用力により変形しない程度の剛性を保ちつつ、装着孔の縁部近傍と対向する面積を確保すべく可能な限り薄い方が望ましい。なお、突設部１５の高さは、化粧枠１が用いられる天井等の部材の材質、部材に設けられる装着孔の孔径等に応じて適切に設定してある。
【００２２】
突設部１５の天井と対向する面には、扁平な直方体状の凹状を有する複数（図において３つ）の切欠き部１５ｂ，１５ｂ…が、固定部１３，１３…と同一周方向位置に設けてある。なお、切欠き部１５ｂ，１５ｂ…の深さは、化粧枠１を部材に取付けた状態にて薄肉板状の工具を切欠き部１５ｂ，１５ｂ…に挿入することができる範囲内にて可能な限り浅くしてあり、例えば、０．５ｍｍである。切欠き部１５ｂ，１５ｂ…の突設部１５の周方向の長さは、工具の寸法を考慮して適切に設定してある。
【００２３】
図４は、化粧枠１の切欠き部１５ｂ，１５ｂ…近傍の部分拡大外観斜視図であり、簡易化した概略図である。図１及び図４に示すように、鍔部１２の一面１２ａには、切欠き部１５ｂ，１５ｂ…に対応した部分、即ち切欠き部１５ｂ，１５ｂ…と同一周方向位置の切欠き部１５ｂ，１５ｂ…及び固定部１３，１３…間の鍔部１２の径方向の全長に亘って、補強部１６，１６…が夫々設けてある。補強部１６，１６…の上面は、切欠き部１５ｂ，１５ｂ…の底面と面一にしてある。
【００２４】
図５は、実施の形態１に係る化粧枠１を備える照明装置１０の模式的外観斜視図である。図６は、照明装置１０の側面図であり、一部を部分断面にて示している。図７は、図６のＶＩＩ−ＶＩＩ矢視から見た図であり、一部を部分断面にて示している。図８は、図６のＶＩＩＩ−ＶＩＩＩ矢視から見た図であり、一部を部分断面にて示している。
【００２５】
図において１０ａは、照明装置本体である。照明装置本体１０ａは、アルミニウム等の金属製の放熱器２を備えている。放熱器２は、略円板状の伝熱板２１を有しており、伝熱板の一面２１ａには、矩形板状の複数（図において１０個）の放熱板２２，２２…が平行をなして立設してあり、これら複数の放熱板２２，２２…の略中央を通り、該複数の放熱板２２，２２…に直交するように連結板２３が立設してある。なお、連結板２３は、図７に示す如く、伝熱板２１の中央部を避けるように形成してあり、伝熱板２１の中央部には配線用の貫通孔２１ｃが設けてある。後述するＬＥＤモジュールを伝熱板２１の周方向に複数配設する照明装置においては、伝熱板２１の中央部に配線用の貫通孔２１ｃを設けることにより、ＬＥＤモジュールへの配線が容易となる。
【００２６】
伝熱板２１の周縁部には、複数のネジ穴２１ｄ，２１ｄ…が設けてある。また、放熱器２の伝熱板２１の周縁部には、矩形板状の取付部２４，２４…が伝熱板２１の径方向に直交するように、周方向に３等配をなして立設してある。取付部２４，２４…は、複数の放熱板２２，２２…に夫々連設されて一体的に構成されており、一つの取付部２４が放熱板２２，２２…に直角をなして連設されるように配してある。取付部２４，２４…の外面２４ａ，２４ａ…は平面に形成してあり、取付部２４には、ネジ穴２４ｂ，２４ｃが上下に並設してある。なお、本実施の形態において、放熱器２は、ダイキャストにより一体成形してあるが、これに限定されず、押出加工又は切削加工により形成してもよい。
【００２７】
放熱器２の伝熱板２１の他面２１ｂには、図８に示す如く、光源としての複数（図において４つ）のＬＥＤモジュール３，３…が周方向に等配をなして取付けてある。ＬＥＤモジュール３，３…は、矩形のセラミック（例えば、酸化アルミニウム）基板３１，３１…と、該セラミック基板３１，３１…の一面の中央部に密集して実装された複数（例えば、３６個）のＬＥＤ素子及び該複数のＬＥＤ素子を封止し、蛍光体が分散された封止樹脂を有する発光部３２，３２…と、入力端子及び出力端子とを備えてなる。ＬＥＤモジュール３，３…の入力端子及び出力端子には、リード線３３，３３…が接続してある。なお、ＬＥＤモジュール３，３…と伝熱板２１との間には、熱伝導シート又はグリースを介装する方が望ましい。これらＬＥＤモジュール３，３…の点灯に伴い該ＬＥＤモジュール３，３…にて発生する熱は、放熱器２の伝熱板２１、放熱板２２，２２…及び連結板２３に伝達され、自然対流により外部へ放散されることになる。なお、放熱器２の表面は、黒色等にする方がふく射放熱の促進の観点から望ましい。
【００２８】
放熱器２の伝熱板２１の他面２１ｂの側には、反射板４が設けてある。反射板４には、該反射板４を放熱器２に取付けたときにＬＥＤモジュール３，３…に対応する位置に、ＬＥＤモジュール３，３…を取り囲むように、略半球状の凹部を有する複数の反射部４１，４１…が形成してある。反射板４は、ステンレス等の金属、反射率の高い塗料を塗布された金属又は高全反射率（約９８％）及び高拡散反射率（約９５％）という光学特性を有する超微細発泡光反射材（例えば、ＭＣＰＥＴ（登録商標））、あるいは光散乱性の金属酸化物（例えば二酸化チタン）等の材料を充填した樹脂材料（例えばポリカーボネート）により形成されている。
【００２９】
反射板４には、反射板４を放熱器２に取付けたときに伝熱板２１に設けられたネジ穴２１ｄ，２１ｄ…に対応する位置に、略円柱状の凹部を有する固定部４２，４２…が設けてある。また、反射板４の周縁には、周壁４３が立設してあり、反射板４は周壁４３の端面を伝熱板２１に当接させて、ネジ４５，４５…を反射板４の固定部４２，４２…に設けられた貫通孔に挿通させ、伝熱板２１に設けられたネジ穴２１ｄ，２１ｄ…に螺合させることにより放熱器２に固定してある。ＬＥＤモジュール３，３…からの光は、この反射板４の反射部４１，４１…にて反射されて、ＬＥＤモジュール３，３…の光軸となす角度が所定角度以下になる範囲に含まれることになり、照明機器の直下照度が強くなるように配光特性が制御された光が照明装置から出射されることになる。
【００３０】
以上のように構成された照明装置本体１０ａの放熱器２の伝熱板２１の側には、前述した本発明に係る化粧枠１が設けてある。なお、固定部１３，１３…の貫通孔１３ｂ，１３ｂ…は、化粧枠１を放熱器２に取付けたときに放熱器２の取付部２４，２４…に設けられたネジ穴２４ｃ，２４ｃ…に対応する位置に夫々設けてある。この化粧枠１は、円筒１１に反射板４を内嵌させて、固定部１３，１３…の延設部１３ａ，１３ａ…を放熱器２の取付部２４，２４…の外面２４ａ，２４ａ…に当接させた状態にて、ネジ１７，１７…を貫通孔１３ｂ，１３ｂ…に挿通させ、ネジ穴２４ｃ，２４ｃ…に螺合させることにより放熱器２に固定してある。化粧枠１の内側の鍔部１２の内面には、ＬＥＤモジュール３，３…を覆うように、円板状の樹脂製の透過板５が取付けてある。透過板５は、例えば、ポリカーボネート樹脂製である。
【００３１】
また、放熱器２の伝熱板２１の側には、複数（図において３つ）の板ばね６，６…が設けてある。板ばね６は、ステンレス鋼等の金属製であり、細長い矩形板を屈曲させて、図６に示すようにＶ字状に形成してある。板ばね６の一側には、矩形板状の取付部６１が設けてあり、屈曲部６２を挟んだ板ばね６の他側には、取付部６１の側に凸状に湾曲し、板ばね１の長手方向に沿う断面形状が円弧状である第１の押圧部６３及び第２の押圧部６４が連設してある。なお、第１の押圧部６３と第２の押圧部６４の湾曲の曲率半径は異なっており、第２の押圧部６３の曲率半径Ｒ２は第１の押圧部６３の曲率半径Ｒ１よりも大（Ｒ１＜Ｒ２）である。また、板ばね６の他側の端部には、第２の押圧部６４に連設された腕部６５の端部から該腕部６５に角度をなして取付部６１の逆側に折り曲げられてなる抜止部６６が設けてある。
【００３２】
このような板ばね６，６…は、ネジ２５，２５…を板ばね６，６…の取付部６１，６１…に設けられた貫通孔に挿通させ、放熱器２の取付部２４，２４…に設けられたネジ穴２４ｂ，２４ｂ…に螺合させることにより、取付部２４，２４…の外面２４ａ，２４ａ…に板ばね６，６…の取付部６１，６１…を密着させた状態にて、周方向に３等配をなして放熱器２に固定してある。なお、放熱器２の取付部２４，２４…に前述した化粧枠１が固定部１３，１３…を当接させた状態にて固定してあり、化粧枠１の切欠き部１５ｂ，１５ｂ…は、このように取付けられた板ばね６，６…と同一の周方向位置になるように設けてある。
【００３３】
なお、抜止部６６は、板ばね６１の第１の押圧部６３及び第２の押圧部６４が天井に当接しない状態において、照明装置１０の落下を防止するために設けてある。また、放熱器２の外側の放熱板２２，２２には、貫通孔（図示せず）が夫々設けてあり、該貫通孔には、ワイヤーの一端がフック等により掛止されるとともに、他端は建屋の梁に固定されている。これにより、例えば、地震等の災害時に、抜止部６６が照明装置１０を保持できずに照明装置１０が天井に設けられた装着孔から脱落した場合に、照明装置１０が下まで落下することを防止することができる。なお、ワイヤーだけでは脱落時の衝撃が大きすぎる場合は、間にひっぱりコイルばねを設けてもよい。
【００３４】
放熱器２の外側から二枚目の放熱板２２，２２には、取付板７１，７１が夫々放熱板２２，２２と平行をなしてネジ７２，７２…により固定してある。取付板７１，７１の上部には、該取付板７１，７１に直角をなして円板７３が取付けてある。この円板７３により、照明装置本体１０ａ、特に放熱板２２，２２…の間に埃等の異物が入り込まないようにすることができると共に、断熱材により照明装置本体１０ａの上部を覆った場合に、放熱器２の放熱板２２，２２…及び連結板２３の表面から熱伝達により暖められた空気が外部に流出する通風路を確保することができる。また、外部からの埃や上の階からの水滴等に対する保護としても有効に機能する。
【００３５】
以上のように構成された照明装置１０は、透過板５の側を下側にして、天井に設けられた装着孔に板ばね６，６…を介して固定され、所謂ダウンライトとして用いられる。照明装置１０は、例えば、直径が１２５ｍｍである天井の装着孔に、照明装置本体１０ａと装着孔の内面とを適長離隔した状態にて天井に装着されている。図９は、天井に照明装置１０を装着した状態を示す図である。
【００３６】
照明装置１０は、板ばね６，６…の腕部６５の側を照明装置本体１０ａの側に押し付けた状態にて、天井１００に設けられた装着孔１００ａに下側から挿入し、板ばね６，６…から手を離し照明装置本体１０ａをさらに押し込むことにより、図９に示す如く、天井１００の装着孔１００ａに固定される。より詳しくは、装着孔１００ａへの装着時に照明装置本体１０ａの側に押し付けられ、弾性変形した板ばね６が、押付力の解除に伴い図６に示す自然状態に復帰しようとしたときに、板ばね６の第１の押圧部６３が円弧の略中央近傍にて装着孔１００ａの上縁部に斜め上側から当接し、これにより、部材である天井１００の設置面に対して垂直方向である下方向の分力が作用して天井１００の上面１００ｂが第１の押圧部６３により下方向に押圧されると共に、照明装置本体１０ａに上方向の分力が作用して天井１００の下面１００ｃが化粧枠１の鍔部１２の上面により上方向に押圧されることになる。この結果、照明装置１０は天井１００を第１の押圧部６３及び、天井１００との鍔部１２により挟持した状態にて天井１００に固定されることになる。
【００３７】
このように天井１００に照明装置１０が固定されたとき、本実施の形態に係る化粧枠１を用いることにより、天井１００の装着孔１００ａの縁部に離隔して対向する対向部である化粧枠１の鍔部１２により、照明装置本体１０ａ及び装着孔１００ａの内面間の隙間が被覆される。また、鍔部１２の上面１２ａは、天井の下面１００ｃと適長離隔しており、これにより、装着孔１００ａの縁部近傍にバリ、天井１００の下面１００ｃに貼られた化粧紙の剥離等が生じたときに、バリ、化粧紙の剥離等を隠すことができる。鍔部１２の上面１２ａ及び天井の下面１００ｃ間の間隔が、鍔部１２の内縁側（円筒部１１の側）から外縁側（突設部１５の側）の広い範囲に亘って一定に保たれているから、バリ、化粧紙の剥離等が装着孔１００ａの縁部のごく近傍に留まらない場合においても、バリ、化粧紙の剥離等を隠すことができる。また、化粧枠１の突設部１５が天井１００との間に隙間を生じることなく略全周に亘って天井１００の下面１００ｃに当接してあるから、化粧枠１の外周縁に沿って濃淡の異なる影が生じることなく、設置状態での品位が損なわれず美観に資する。
【００３８】
このように天井１００に装着された照明装置１０は、ＬＥＤモジュール３，３…に、照明装置本体１０ａの外部に設けられた電源部を介して外部電源から電力が供給されるように構成してある。
【００３９】
ＬＥＤモジュール３，３…には、伝熱板２１の中央部に設けられた貫通孔２１ｃを挿通させた複数（図において４つ）のリード線３３，３３…の一端が接続してあり、リード線３３，３３…の他端は、図７に示す如く、メスコネクタ８１に接続してある。メスコネクタ８１側のリード線３３，３３…は、保護チューブ８２により一本に纏められており、該保護チューブ８２の外周面には、金属製の保護スプリング８３が外嵌させてある。これにより、ネズミ等の害獣によりリード線３３，３３…が齧られることを防止することができる。
【００４０】
扁平な直方体状のメスコネクタ８１は、後述するオスコネクタの凸部に嵌合可能な凹部を有する接続端子であり、コネクタカバー８４により保護される。図１０は、コネクタカバー８４の外観図である。図１０（ａ）は、コネクタカバー８４の正面図を、図１０（ｂ）は図１０（ａ）のＸ−Ｘ矢視から見た図である。
【００４１】
コネクタカバー８４は、円筒部８４ａと、該円筒部８４ａの一側に連設され、円筒部８４ａよりも小さな直径を有する縮径部８４ｂと、円筒部８４ａの他側に連設され、円筒部８４ａよりも大きな直径を有する拡径部８４ｃとを有している。縮径部８４ｂは、保護チューブ８２及び保護スプリング８３の外径よりも大きな内径となるように形成してある。円筒部８４ａ及び拡径部８４ｃは、メスコネクタ８１を内部に収容可能なように形成してある。拡径部８４ｃには、略Ｌ字状に切欠かれた切欠き部８４ｄ，８４ｄが周方向に２等配をなして設けてある。
【００４２】
図１１は、電源モジュールの外観図であり、一部を部分断面にて示している。電源モジュール９は、直方体状の外形を有する電源カバー９０と、該電源カバー９０の内部に収容され、トランス、抵抗、コンデンサ等の各種回路部品を有してなる電源部９１と、該電源部９１に接続された端子台９２と、該端子台９２を収容し、電源カバー９０の一側に外嵌される端子カバー９３とを備えてなる。
【００４３】
電源モジュール９の電源部９１には、リード線９４，９４…の一端が接続してあり、リード線９４，９４…の他端は、図１１に示す如く、オスコネクタ８６に接続してある。リード線９４，９４…は、保護チューブ８７により一本に纏められており、該保護チューブ８７の外周面には、金属製の保護スプリング８８が外嵌させてある。これにより、ネズミ等の害獣によりリード線９４，９４…が齧られることを防止することができる。
【００４４】
扁平な直方体状のオスコネクタ８６は、複数（図において４つ）の凸部を有する接続端子であり、コネクタカバー８９により保護される。図１２は、コネクタカバー８９の外観図である。図１２（ａ）は、コネクタカバー８９の正面図を、図１２（ｂ）は図１２（ａ）のＸＩＩ−ＸＩＩ矢視から見た図である。
【００４５】
なお、コネクタのオス、メス形状又は方式は、仕様の異なる機種では異なるものとしてあり、これにより照明装置と電源モジュールとの組み合わせを混同する虞がなくなる。特に２機種のみのラインナップの場合は、Ａ機種照明装置の照明装置本体側のコネクタをオス形状に、電源モジュール側のコネクタをメス形状とし、Ｂ機種照明装置の照明装置本体側のコネクタをメス形状に、電源モジュール側のコネクタをオス形状とするだけでもよい。
【００４６】
コネクタカバー８９は、円筒部８９ａと、該円筒部８９ａの一側に連設され、円筒部８９ａよりも小さな直径を有する縮径部８９ｂとを有している。縮径部８９ｂは、保護チューブ８７及び保護スプリング８８の外径よりも大きな内径となるように形成してある。円筒部８９ａは、オスコネクタ８６を内部に収容可能なように形成してある。また、円筒部８９ａには、半球状に突出する突出部８９ｃ，８９ｃが周方向に２等配をなして設けてある。突出部８９ｃ，８９ｃの直径は、切欠き部８４ｄ，８４ｄの最狭部分の間隔と同一になるように形成してある。
【００４７】
図１３は、コネクタカバー８４，８９の嵌合状態を示す図である。電源モジュール９に接続されたオスコネクタ８６をＬＥＤモジュール３，３…に接続されたメスコネクタ８１に嵌合させることにより、照明装置本体１０ａの外部に設けられた電源部９１がリード線９４，９４…，３３，３３…を介してＬＥＤモジュール３，３…に接続されることになる。この後、図１３に示す如く、コネクタカバー８４の拡径部８４ｃにコネクタカバー８９を突出部８９ｃ，８９ｃが切欠き部８４ｄ，８４ｄに一致するように差し込み、相対回転させる。相対回転に伴い、切欠き部８４ｄ，８４ｄにより切り出された押圧片８４ｅ，８４ｅが突出部８９ｃ，８９ｃにより径方向外向きの力を受け、僅かに外側に撓み、この撓みに応じて、自然状態に復帰しようとする押圧片８４ｅ，８４ｅにより突出部８９ｃ，８９ｃに径方向内向きの力が作用するから、コネクタカバー８４とコネクタカバー８９とが一体化される。これにより、オスコネクタ８６及びメスコネクタ８１がコネクタカバー８４，８９の内部に収容されることになり、オスコネクタ８６及びメスコネクタ８１をネズミ等の害獣から保護することができる。
【００４８】
このように天井１００の装着孔１００ａに装着された照明装置１０は、交換等により天井１００から取外される。取外し作業は、切欠き部１５ｂ，１５ｂ…に薄肉板状の工具を挿入して力（例えば、照明装置の自重の２〜３倍の力）を加えて、天井１００との間に隙間（例えば、１ｍｍ程度）を生じさせ、さらに大きな下方向の力（例えば照明装置の自重の５〜６倍の力）を加えて引き抜くことにより行われる。
【００４９】
本実施の形態に係る化粧枠１を備える照明装置１０は、化粧枠１の突設部１５に、突設部１５の周方向の適長に亘って、扁平な直方体状の凹状を有する複数の切欠き部１５ｂ，１５ｂ…が形成してある。これにより、切欠き部１５ｂ，１５ｂ…に薄肉板状の工具を挿入して力を加えたときに、照明装置１０に十分な下方向の力を容易に加えることができ、天井１００から照明装置を容易に取外すことができる。なお、切欠き部１５ｂ，１５ｂ…の深さは、化粧枠１を天井１００に装着した状態にて薄肉板状の工具を切欠き部１５ｂ，１５ｂ…に挿入することができる範囲内にて可能な限り浅くしてあり、例えば、０．５ｍｍの深さに設定してある。従って、照明装置１０を天井１００に装着したときに天井１００との間に僅かな隙間しか生じないから、化粧枠１の外周縁に沿って生じる影の濃淡が殆ど変わらず、天井との間の隙間も生じないので美観を損ねずにすむ。
【００５０】
また、補強部１６，１６…は、切欠き部１５ｂ，１５ｂ…に対応した部分、即ち切欠き部１５ｂ，１５ｂ…と同一周方向位置の切欠き部１５ｂ，１５ｂ…及び固定部１３，１３…間の鍔部１２の径方向の全長に亘って、補強部１６，１６…の上面が、切欠き部１５ｂ，１５ｂ…の底面と面一になるように鍔部１２の一面１２ａの側に設けてある。これにより、切欠き部１５ｂ，１５ｂ…に薄肉板状の工具を挿入して、力を加えたときに、補強部１６，１６…にも加えられた力が分散されることになるから、突設部１５の切欠き部１５ｂ，１５ｂ…を設けている部分及び該切欠き部１５ｂ，１５ｂ…近傍の鍔部１２が変形しないように補強することができる。
【００５１】
また、化粧枠１の突設部１５に、照明装置１０を組み立てたときに板ばね６，６…と同一周方向位置になるように、切欠き部１５ｂ，１５ｂ…を設けている。これにより、切欠き部１５ｂ，１５ｂ…に挿入した薄肉板状の工具により板ばね６，６…の付勢力に抗して化粧枠１に加えられる力が、２つの板ばねの間に切欠き部を設けた場合と比較して小さくなるから、照明装置１０を天井１００から容易に取外すことができる。
【００５２】
（実施の形態２）
図１４は、実施の形態２に係る化粧枠１ａの部分拡大外観斜視図であり、簡易化した概略図である。突設部１５に設けられた切欠き部１５ｂ，１５ｂ…は、図１４に示す如く、開口側に向けて広がる傾斜面１５ｃ，１５ｃを両側に有している。その他の構成は、図４に示す実施の形態１と同様であるため、対応する構成部材に図４と同一の参照符号を付して、その構成の詳細な説明を省略する。
【００５３】
本実施の形態に係る化粧枠１ａを実施の形態１にて述べた照明装置本体１０ａに適用したときに、突設部１５の端面１５ａの一部に設けられた切欠き部１５ｂ，１５ｂ…に開口側に向けて広がる傾斜面１５ｃ，１５ｃを設けているから、切欠き部１５ｂ，１５ｂ…に薄肉板状の工具を挿入して力を加えて天井から一部を離隔させつつ、傾斜面１５ｃ，１５ｃに沿って工具をずらせて天井との隙間が生じる範囲を広げることにより、さらに容易に天井から照明装置を取外すことができる。
【００５４】
なお、本実施の形態においては、傾斜面１５ｃ，１５ｃを切欠き部１５ｂ，１５ｂ…の底面から突設部１５の端面１５ａに向けて深さが直線的に減少する傾きが一定の傾斜面としたが、これに限定されず、傾斜面の傾きを切欠き部１５ｂ，１５ｂ…の底面から突設部１５の端面１５ａに向けて変化させてもよい。また、傾斜面に限定されず、工具を鍔部１２の周方向に移動させることが可能なように切欠き部１５ｂ，１５ｂ…の底面と端面１５ａとの間を形成してあればよい。
【００５５】
（実施の形態３）
図１５は、実施の形態３に係る化粧枠１ｂの部分拡大外観斜視図であり、簡易化した概略図である。図１６は、化粧枠１ｂの切欠き部１５ｂ，１５ｂ…近傍における模式的部分断面図である。鍔部１２の一面１２ａには、切欠き部１５ｂ，１５ｂ…に対応した部分、即ち切欠き部１５ｂ，１５ｂ…と同一周方向位置の切欠き部１５ｂ，１５ｂ…及び固定部１３，１３…間の鍔部１２の径方向の適長に亘って、補強部１６ａ，１６ａ…が夫々設けてある。補強部１６ａ，１６ａは、切欠き部１５ｂ，１５ｂ…から鍔部１２の径方向に延設され、延設端が固定部１３，１３…の外面と適長離隔するように形成してあり、補強部１６ａ，１６ａ…の上面は、切欠き部１５ｂ，１５ｂ…の底面と面一にしてある。
【００５６】
補強部１６ａ，１６ａ…の延設端には、固定部１３，１３…と離隔して対向する矩形板状の突起１６ｂ，１６ｂ…が立設してある。なお、固定部１３，１３…及び突起１６ｂ，１６ｂ…間の間隔は、化粧枠１ｂを照明装置本体１０ａに取付けたときに、図中に二点鎖線にて示すように、固定部１３，１３…及び突起１６ｂ，１６ｂ…間に板ばね６，６…が位置するように設定してある。その他の構成は、図２及び４に示す実施の形態１と同様であるため、対応する構成部材に図２及び４と同一の参照符号を付して、その構成の詳細な説明を省略する。
【００５７】
本実施の形態に係る化粧枠１ｂを実施の形態１にて述べた照明装置本体１０ａに適用したときに、固定部１３，１３…と突起１６ｂ，１６ｂ…との間に板ばね６，６…が位置するから、切欠き部１５ｂ，１５ｂ…に薄肉板状の工具を挿入したときに、該工具が突起１６ｂ，１６ｂ…により所定の位置で工具の挿入が止められて移動を制限され、工具が板ばね６，６…まで到達することを避けることができる。これにより、工具に力を加えたときに板ばね６，６…が邪魔にならず、照明装置の取外し作業をスムーズに行うことができる。
【００５８】
なお、本実施の形態において、突起１６ｂ，１６ｂ…を矩形板状に形成しているが、突起の形状はこれに限定されず、工具が板ばね近傍まで到達しないように工具の挿入を阻害する形状であればよい。
【００５９】
なお、以上の実施の形態１乃至３に係る化粧枠においては、突設部１５に３つの切欠き部１５ｂ，１５ｂ…を鍔部１２の周方向に等配をなして設けているが、これに限定されない。切欠き部の数は、板ばねの数に応じて適宜設定される。切欠き部を設ける位置は、板ばねの近傍であればよく、板ばねと同一周方向位置に設ける必要はない。
【００６０】
また、補強部を切欠き部の底面と面一になるように形成しているが、これに限定されない。
【００６１】
さらに、化粧枠を照明装置本体１０ａに取付けているが、天井１００等の部材に取付けるように構成してもよい。
【００６２】
（実施の形態４）
以上の実施の形態１乃至３に係る化粧枠を備える照明装置は、電源の投入に伴い、電源部から整流された所定値の直流電流がＬＥＤモジュール等の光源に供給され、供給された電流に応じて光源が点灯する。一般に用いられている照明装置は、光源の光量を制御することにより照射面での明るさを変化させており、また、光源として発光色が異なる複数の光源を用い、該複数の光源の光量を夫々制御することにより、複数の光源からの光が照射される照射面での光色を変化させている。このような調光方法は、きめ細かい光量及び光色の変更を自動にて行うことが可能となる一方、構成及び制御が複雑になる。そこで、より簡易な構成にて調光が可能な照明装置が望まれている。
【００６３】
図１７は、実施の形態４に係る化粧枠１ｃを用いた照明装置の模式的部分拡大断面図である。図１８は、照明装置の模式的部分拡大正面図である。なお、照明装置は、実施の形態１において述べた照明装置と同様に構成してある。
【００６４】
化粧枠１ｃの鍔部１２の内縁部には、該鍔部１２と同心をなして円弧状のガイド孔１２ｄが約９０°に亘って設けてある。化粧枠１ｃのその他の構成は、図１６に示す実施の形態３と同様であるため、対応する構成部材に図３と同一の参照符号を付して、その構成の詳細な説明を省略する。
【００６５】
化粧枠１ｃの内側の鍔部１２の内面には、ＬＥＤモジュールを覆うように、樹脂製の透過板５ａが設けてある。透過板５ａは、凸状に湾曲された略円板形状を有しており、透過板５ａの外周縁の一部には、透過板５ａに略直交し、透過板５ａの突出方向に延びる円柱状の突起５０ａが設けてある。
【００６６】
透過板５ａは、突起５０ａを化粧枠１ｃに設けられた円弧状のガイド孔１２ｄに挿入して、図１７の如く、化粧枠１ｃに取付けられる。この透過板５ａの上側には、光学部材としての円板状のフィルター５１が内嵌されている。図１９は、フィルター５１の一例である。
【００６７】
フィルター５１は、着色されたポリカーボネート樹脂製であり、図１９に示す如く、周方向に色の濃淡を連続的に変化させてある。本実施の形態においては、９０°毎に周方向の色の濃淡の変化を繰り返すようにフィルター５１を形成してある。このように９０°毎に色の濃淡の変化を繰り返すように構成しているのは、周方向に４等配してあるＬＥＤモジュールを光源として備える照明装置に適用しているためであり、繰り返し角度は、ＬＥＤモジュール等の光源の数、配置等に応じて適宜設定される。なお、フィルター５１は、ポリカーボネート樹脂製に限定されず、アクリル樹脂等の他の樹脂でもよいし、ガラスでもよい。
【００６８】
この構成において、突起５０ａを化粧枠１ｃに設けられたガイド孔１２ｄに沿って動かすことにより、突起５０ａが設けられた透過板５ａが回転し、この回転に伴い透過板５ａに内嵌されたフィルター５１が一体的に回転する。ＬＥＤモジュールから出射される光は、フィルター５１のＬＥＤモジュール直下の部分を主として透過するから、透過後の光の色の濃淡を、フィルター５１の回転に応じて無段階に変化させることができる。
【００６９】
なお、本実施の形態においては、周方向の色の濃淡を変化させるようにフィルター５１を形成しているが、これに限定されない。例えば、周方向の色を連続的に変化させるようにフィルターを形成してもよい。この場合、フィルターの回転に応じてフィルターを透過する光の色がフィルターの色に応じて変化するから、照射面での光色を変化させることができる。また、一色に均一に着色したフィルターを用いてもよく、この場合、透過板を着色するよりも製造が容易であるという利点がある。
【００７０】
また、周方向の透過率を高低に連続的に変化させるようにフィルターを形成してもよい。この場合、フィルターの回転に応じてフィルターを透過する光の量が変化するから、照射面での明るさを無段階に変化させることができる。また、周方向位置に応じて光の散乱の度合いを変化させてもよい。
【００７１】
また、光源からの光の出射方向にあるガラス、水面等にて反射する光の量を減少させて光の映り込みを防止すべく、所定方向の光以外をカットする偏光フィルターを用いてもよい。また、異なるレンズやプリズムを周方向に配置してなるシートを用いることにより、光の出射方向を変えるようにしてもよい。
【００７２】
また、本実施の形態においては、色の濃淡、色の種類、透過率の高低等を周方向に変化されるようにフィルター５１を形成しているが、フィルター５１ではなく透過板を周方向に色の濃淡等を変化させるように形成してもよいし、フィルター及び透過板夫々を異なる特性を持たせるように形成してもよい。
【００７３】
また、本実施の形態においては、化粧枠１ｃに設けられたガイド孔１２ｄに挿入する突起５０ａを透過板５ａに設けて、透過板５ａを回転させることによりフィルター５１を回転させるように構成してあるが、これに限定されず、フィルターに突起を設けて、該突起を化粧枠１ｃに設けられたガイド孔１２ｄに挿入して、フィルターを直接回転させるように構成してもよい。
【００７４】
なお、以上の実施の形態においては、光源として複数のＬＥＤ素子が実装されてなるＬＥＤモジュール３，３…を用いているが、これに限定されず、高輝度のＬＥＤチップ、ＥＬ（Ｅｌｅｃｔｒｏ  Ｌｕｍｉｎｅｓｃｅｎｃｅ）、蛍光灯、電球等を用いてもよい。
【００７５】
また、以上の実施の形態おいては、ダウンライトに化粧枠を取付けた例について述べたが、ダウンライトに限定されず、他のタイプの照明装置、照明装置以外の天井等の部材に設置される機器にも本発明に係る化粧枠は適用可能であり、その他、特許請求の範囲に記載した事項の範囲内において種々変更した形態にて実施することが可能であることは言うまでもない。
【図面の簡単な説明】
【００７６】
【図１】本発明の実施の形態１に係る化粧枠の平面図である。
【図２】図１のＩＩ−ＩＩ線による断面図である。
【図３】図１のＩＩＩ−ＩＩＩ矢視から見た側面図である。
【図４】化粧枠の切欠き部近傍の部分拡大外観斜視図である。
【図５】実施の形態１に係る化粧枠を備える照明装置の模式的外観斜視図である。
【図６】照明装置の側面図である。
【図７】図７は、図６のＶＩＩ−ＶＩＩ矢視から見た図である。
【図８】図８は、図６のＶＩＩＩ−ＶＩＩＩ矢視から見た図である。
【図９】天井に照明装置を装着した状態を示す図である。
【図１０】コネクタカバーの外観図である。
【図１１】電源モジュールの外観図である。
【図１２】コネクタカバーの外観図である。
【図１３】コネクタカバーの嵌合状態を示す図である。
【図１４】実施の形態２に係る化粧枠の部分拡大外観斜視図である。
【図１５】実施の形態３に係る化粧枠の部分拡大外観斜視図である。
【図１６】化粧枠の切欠き部近傍における模式的部分拡大断面図である。
【図１７】実施の形態４に係る化粧枠を用いた照明装置の模式的部分拡大断面図である。
【図１８】照明装置の模式的部分拡大正面図である。
【図１９】フィルターの一例である。
【符号の説明】
【００７７】
１，１ａ，１ｂ，１ｃ  化粧枠（カバー）
１２  鍔部（対向部）
１５  突設部（被覆部）
１５ｂ  切欠き部
１５ｃ  傾斜面
１６，１６ａ  補強部
１６ｂ  突起
６  板ばね（装着体）
１０ａ  照明装置本体（被装着体）
１００  天井（部材）
１００ａ  装着孔
【図１】
2013214530.tif 000003
【図２】
2013214530.tif 000004
【図３】
2013214530.tif 000005
【図４】
2013214530.tif 000006
【図５】
2013214530.tif 000007
【図６】
2013214530.tif 000008
【図７】
2013214530.tif 000009
【図９】
2013214530.tif 000010
【図１０】
2013214530.tif 000011
【図１１】
2013214530.tif 000012
【図１２】
2013214530.tif 000013
【図１３】
2013214530.tif 000014
【図１４】
2013214530.tif 000015
【図１５】
2013214530.tif 000016
【図１６】
2013214530.tif 000017
【図１７】
2013214530.tif 000018
【図１８】
2013214530.tif 000019
【図１９】
2013214530.tif 000020
【図８】
2013214530.tif 000021